(57)【特許請求の範囲】
【請求項１】
スプールに巻き取られているテープを両端部にフランジを有するテープリールのテープ巻取り軸に高速で巻取ると共に、巻取られるテープにタッチベルトを接触してテープを整巻きするテープワインダー装置において、
上記タッチベルトを上記テープリールへのテープの巻き取り方向に対して所定の傾斜角度でもって配置し、上記テープ巻取り軸に巻取られるテープのエッジを一方のフランジ内面を基準面にして巻き揃えて巻取るようにし、
上記基準面に巻き揃えて巻き取られたテープを用いたテープカセットを記録再生装置に使用することによって、記録再生特性のＲＦ変動量を少なく安定させることを特徴とするテープワインダ装置。
【請求項２】
上記タッチベルトを上記テープ巻取り軸を挟んでテープ巻取り方向に複数配置したことを特徴とする請求項１記載のテープワインダー装置。
【請求項３】
上記タッチベルトの傾斜角度は１°を越えない範囲であることを特徴とする請求項１記載のテープワインダー装置。
【請求項４】
上記記録再生特性のＲＦ変動量は２５％以下であることを特徴とする請求項１記載のテープワインダー装置。
【発明の詳細な説明】
【０００１】
【産業上の利用分野】
本発明は、ＶＨＳや８ミリビデオ等のカセット用のテープリールに高速でテープを巻取るためのテープワインダー装置に関するものである。
【０００２】
【従来の技術】
従来、この種テープリールに高速でテープを巻取るテープワインダー装置を図５に示す。符号１はスプール軸２に多量に巻き取られたテープであり、スプール軸２から引き出されたテープ１は複数のローラ３及びテンション機構４を介してテープリール５に巻き取られる。テープリール５はワインダー装置の回転軸６に挿着され、テープリール５を高速回転させることでテープ巻取り軸７にテープが高速で巻き取られる。テープ巻取り軸７に巻き取られる最外周のテープ１にはタッチベルト８を所定の接触圧でばねＷで接触させることで、テープ巻取り軸７にテープ１を整巻き状態に所定量巻き取ることができる。
【０００３】
ここで、タッチベルト８の構成を詳しく説明すると、タッチベルト８は３つのローラ９ａ，９ｂ，９ｃにゴムベルト１０がエンドレス状に掛回され、このうち１つのローラ９ａはタッチベルト８の回動支点軸となる。従って、テープリール５にテープが巻き取られてテープ径が大きくなるにしたがってタッチベルト８は回動支点軸９ａを支点として外方へ回動移動する。また、タッチベルト８はテープの巻き取り方向と平行する向き（以下、ストレートタッチベルトという）に配置されている。
【０００４】
【発明が解決しようとする課題】
ところで、上述した従来のテープワインダー装置を使用したテープリール５へのテープの巻き取りは、テープ巻取り軸７の中央部に巻き取るようになっている。しかし、テープリール５に巻き取られたテープの巻き面（テープエッジ面）は実際には巻き乱れが生じるという問題があった。このテープの巻き乱れは、例えば高密度記録のビデオテープにあってはトラック幅が狭くなっていることから、ヘッドでの当たりの変動から適正な記録再生特性（ＲＦ変動量）が得られないといった特性上の問題があった。
【０００５】
このテープ巻き乱れの原因としては、テープワインダー装置のメカ精度の低下やテープリール自体の構造等が原因している。
【０００６】
ここで、従来のストレートタッチベルトを使用したテープ巻き乱れの実例を説明する。
図６に示したテープリールにおいて、テープワインダー装置によりテープ巻取り軸７に巻き取られるテープをクランパー１１側に面する位置をＡ点とし、このＡ点から１２０°の間隔でそれぞれＢ点及びＣ点を設定し、各点におけるテープ１の上エッジの巻き乱れ状態を測定した図を図７に示す。これら、各点はいずれも図の左端がテープの巻き始めであり、図の右端がテープの巻き終わりを示している。そして、各図の横軸はテープ巻き始めの基準位置である。
【０００７】
この図から明らかなように各点におけるテープの巻き面形状は、巻き始めでは不安定な状態で上エッジが基準位置より上方へ巻き乱れ、その後、上方に巻き乱れた状態が安定せず巻き終わる。
【０００８】
また、従来のストレートタッチベルトを使用したテープ巻き乱れの別の実例はは、テープリールへのテープの高速巻き取りにおいて、ワインダー装置の回転軸６の偏心によってテープリール自体がブレを起こし、図８に示すようにテープリールのブレだけ円周方向に高さの異なるテープの巻き乱れが発生することになる。
【０００９】
本発明は、上述したような課題を解消するためになされたもので、テープリールへのテープの巻き乱れのない整巻きされた状態で巻装することができ、記録再生特性を安定させることのできるテープワインダー装置を得ることを目的とする。
【００１０】
【課題を解決するための手段】
上述の目的を達成するため、請求項１のテープワインダー装置は、スプール２に巻き取られているテープ１を両端部にフランジを有するテープリール５のテープ巻取り軸７に高速で巻取ると共に、巻取られるテープにタッチベルト８を接触してテープを整巻きするテープワインダー装置において、
タッチベルト８をテープリール５へのテープの巻き取り方向に対して所定の傾斜角度でもって配置し、テープ巻取り軸７に巻取られるテープのエッジを一方のフランジ内面を基準面にして巻き揃えて巻取るようにし、基準面に巻き揃えて巻き取られたテープを用いたテープカセットを記録再生装置に使用することによって、記録再生特性のＲＦ変動量を少なく安定させることを特徴とする。
【００１１】
また、請求項２のテープワインダー装置は、タッチベルト８をテープ巻取り軸７を挟んでテープ巻取り方向に複数配置したことを特徴とする。
【００１２】
また、請求項３のテープワインダー装置は、タッチベルトの傾斜角度は１°を越えない範囲であることを特徴とする。
また、請求項４のテープワインダー装置は、記録再生特性のＲＦ変動量は２５％以下であることを特徴とする。
【００１３】
【作用】
上述のように構成した請求項１の発明では、テープリール５に巻き取られるテープはタッチベルト８の傾斜方向に沿って斜行し、テープエッジ５ａが一方のフランジ内面に適正の接触圧をもって位置決めされるようになり、テープ全体として巻き面が整巻きされ揃った状態で巻装することができる。これによって、整巻きされたテープを用いたテープカセットを記録再生装置に使用することによって、記録再生特性のＲＦ変動量の少ない安定した状態となる。
【００１４】
また、請求項２の発明では、タッチベルト８をテープ巻取り軸７を挟んでテープ巻き取り方向に複数配置したことで、テープ１はタッチベルト８の傾斜方向に沿って移動すると共に、複数のタッチベルト８によりテープの斜行動作を確実に行うことができる。
【００１５】
また、請求項３の発明では、タッチベルト８の傾斜角度が１°を越えない範囲としたことで、テープエッジ５ａのフランジ内面への接触圧が最適に行え、テープダメージを防止することができる。
また、請求項４の発明は、記録再生特性のＲＦ変動量を２５％以下にしたので、記録再安定した記録再生特性となる。
【００１６】
【実施例】
以下、本発明によるテープワインダー装置の実施例を図面を参照して説明する。
図１はテープリールとタッチベルトとの正面図、図２は同じく側面図であり、図５で説明した従来例の構成と同一部分には同じ符号を付して重複する説明は省略する。
【００１７】
本発明の特徴とするところは、テープリール５のテープ巻取り軸７に巻き取られるテープの巻き取り方向に対してタッチベルト８を傾斜して配置した状態でテープ１にタッチベルト８（以下、傾斜タッチベルト８という）を接触させたものである。このタッチベルト８の傾斜角度θは最大で１°であり、好適には４１′前後であるが、図ではタッチベルト８の傾斜角度を誇張して示してある。
【００１８】
このように構成したテープワインダー装置は、図２においてテープ１が矢印方向にテープリールへ巻き取られているとすると、傾斜するタッチベルト８によってテープ１に受けるベクトルは、テープ１が直進しようとする方向Ｆ1 と、テープ１がタッチベルト８の向きに沿って移動しようとする方向Ｆ2 との合力であるＦの方向に移動することになる。従って、タッチベルト８を通過したテープ１はＦの方向に斜行することになるので、テープエッジ１ａがテープリール５の一方のフランジ５ａの内面に接触した状態で位置決めされテープ１が巻装される。つまり、テープ１はフランジ５ａの内面を基準面として巻装されることになるため、テープリール５に巻装されたテープ全体として巻き面（エッジ）がきれいに揃った状態で巻装されることになる。
【００１９】
ここで、本発明の傾斜タッチベルト８を使用したテープ巻き面の様子を図３について説明する。
図３は図６で説明した従来例の場合と同様にテープ巻取り軸７に巻き取られるテープをクランパー１１側に面する位置をＡ点とし、このＡ点から１２０°の間隔でそれぞれＢ点及びＣ点を設定し、各点におけるテープ１の上エッジの巻き乱れ状態を測定したものである。これら、各点はいずれも図の左端がテープの巻き始めであり、図の右端がテープの巻き終わりを示している。そして、各図の横軸はテープ巻き始めの基準位置である。
【００２０】
この図から明らかなように各点におけるテープの巻き面形状は、巻き始めからすぐに上エッジが基準位置より下方へ移動した状態つまり、テープ１がフランジ内面に沿って位置決めされた状態となり、巻き面が安定しそのまま巻き終わっていることが判る。
【００２１】
このように本発明によるテープワインダー装置は、傾斜タッチベルト８を使用することによりテープリール５に巻き面のきれいに揃った状態でテープを巻装することができる。このため、上述したテープを用いたテープカセットを記録再生装置に使用することによって、記録再生特性（ＲＦ変動量）の少ない安定した状態にできる。
【００２２】
また、テープエッジがフランジ内面に接触し位置決めされる強さは、タッチベルト８の傾斜角度の大きさにより決定される。この傾斜角度は１°を越えるとテープエッジがフランジ内面に強く接触してエッジダメージを発生するようになり、傾斜角度が小さすぎるとテープエッジの位置決め作用が生じず巻き面が不揃い状態となるため、実験の結果、タッチベルト８の傾斜角度は４１′前後が最も好適である。
【００２３】
因みに本発明の傾斜タッチベルトを使用したテープワインダー装置と、従来のストレートタッチベルトを使用したテープワインダー装置とのテープ巻き面形状及び記録再生特性の比較を表１に示した。尚、表中、巻き面変位Ｐ−Ｐはテープエッジの上部ピークと下部ピークとの変動量を示す。
【００２４】
【表１】
0003541447.tif 000002
【００２５】
従って、本発明の傾斜タッチベルトと従来のストレートタッチベルトに対して巻き面形変位及び記録再生特性に極めて優れていることが理解できる。
【００２６】
図４に傾斜タッチベルト８を２つ使用したテープワインダー装置の正面図を示す。
２つのタッチベルト８，８（以下、ダブル傾斜タッチベルト８という）はテープ巻取り軸７を挟んで対称的に位置し、テープ巻き取り方向に配置したものである。そして、ダブル傾斜タッチベルト８の傾斜角度は１０′〜１°の範囲に設定してある。
【００２７】
このように構成したことにより、テープリール５のテープ巻取り軸７に巻き取られるテープ１は、まず、一方の傾斜タッチベルト８により斜行されテープエッジ１ａがフランジ内面に位置決めされる。続いて他方の傾斜タッチベルト８により当該位置決めされたテープ部分が上述したと同様の位置決め作用が行われる。すなわち、ダブルタッチベルト８，８の相乗作用によりテープリール５に一層確実に巻き面を揃えた状態でテープを巻装することができる。このダブルタッチベルトは特に高速巻き取り用のテープワインダー装置に適している。
【００２８】
ここで、本発明の傾斜タッチベルトを使用したテープワインダー装置と、ダブル傾斜タッチベルトを使用したテープワインダー装置とのテープ巻き面変位及び記録再生特性のＲＦ変動量の比較を表２に示した。尚、表中、タッチベルト圧とはタッチベルトが巻き取られるテープへ押し当てる圧力であり、巻き面変位Ｐ−Ｐはテープエッジの上部ピークと下部ピークとの変動量を示す。
【００２９】
【表２】
0003541447.tif 000003
【００３０】
このように、ダブル傾斜タッチベルトはシングル傾斜タッチベルトに比較して高速巻き取りにおいて巻き面変位量をさらに小さくすることができ、また、記録再生特性においても低速巻き取り時と変わらない特性を得ることができる。
【００３１】
本発明は、上述しかつ図面に示した実施例に限定されるものでなく、その要旨を逸脱しない範囲内で種々の変形実施が可能である。
【００３２】
傾斜タッチベルトを使用したテープワインダー装置において、２つの傾斜タッチベルトを使用した例の場合、必要に応じて２つ以上の傾斜タッチベルトを使用することも可能である。
【００３３】
また、本発明のテープワインダー装置が使用されるテープリールは、ＶＨＳあるいは８ミリビデオ用等のテープリールに広く適用可能である。
【００３４】
【発明の効果】
以上説明したように請求項１のテープワインダー装置では、タッチベルトをテープリールへのテープの巻き取り方向に対して所定の傾斜角度でもって配置し、テープ巻取り軸に巻取られるテープのエッジを一方のフランジ内面を基準面にして巻き揃えて巻取るようにしたことで、テープリールにきれいに整巻きされた状態でテープを巻装することができる。これにより、テープに巻き乱れが発生しないことから、整巻きされたテープを用いたテープカセットを記録再生装置に使用することによって、記録再生特性のＲＦ変動量の少ない安定した状態にできる。
【００３５】
また、請求項２のテープワインダー装置では、タッチベルトをテープ巻取り軸を挟んでテープ巻き取り方向に複数配置したことで、テープの高速巻き取りにおいて巻き面変位量をさらに小さくすることができ、また、低速巻き取り時と変わらない記録再生特性を得ることができる。
【００３６】
また、請求項３のテープワインダー装置では、タッチベルトの傾斜角度を１°を越えない範囲にしたことにより、テープエッジのフランジ内面への接触圧が最適に行え、テープエッジのダメージを防止することができる。
また、請求項４のテープワインダー装置では、記録再生特性のＲＦ変動量を２５％以下にしたので、記録再安定した記録再生特性を得ることができる。
【図面の簡単な説明】
【図１】本例のシングル傾斜タッチベルトの場合のテープワインダー装置の正面図である。
【図２】同じく側面図である。
【図３】本例のシングル傾斜タッチベルトを使用したテープの巻き面変位の図である。
【図４】本例のダブル傾斜タッチベルトの場合のテープワインダー装置の正面図である。
【図５】従来のテープワインダー装置の全体の斜視図である。
【図６】テープリールの平面図である。
【図７】従来のタッチベルトを使用したテープ巻き面変位の図である。
【図８】従来のテープ巻き乱れの別の例の説明図である。
【符号の説明】
１  テープ
１ａ  テープエッジ
５  テープリール
５ａ  フランジ
６  回転軸
７  テープ巻取り軸
８  タッチベルト
９ａ，９ｂ，９ｃ  ローラ
１０  ゴムベルト
１１  テープクランパー
【図１】
0003541447.tif 000004
【図２】
0003541447.tif 000005
【図３】
0003541447.tif 000006
【図４】
0003541447.tif 000007
【図５】
0003541447.tif 000008
【図６】
0003541447.tif 000009
【図７】
0003541447.tif 000010
【図８】
0003541447.tif 000011